(57)【要約】【課題】受信端末装置の操作者が、送信端末装置より受けた画面を見ながら自分に必要な内容を表示して作業することを希望するときにも、送信端末装置より受けた画面の表示領域を操作する必要がないようにする。【解決手段】送信端末装置１により、画面を表示する受信側出力装置２２上の領域を指定して送信側出力装置１４に表示している画面を転送し、受信端末装置２により、送信端末装置１が転送した画面を受け受信側出力装置２２の全表示領域内の送信端末装置１が指定した領域に送信端末装置１より受けた画面を表示する。【選択図】　　　図１
2004064140.tif 000002
【特許請求の範囲】
【請求項１】
送信側出力装置を有しこの送信側出力装置に表示している画面を転送する送信端末装置と、受信側出力装置を有し前記送信端末装置が転送した前記画面を受けて前記受信側出力装置に表示する受信端末装置とを備えた画面転送表示システムにおいて、
予め前記受信端末装置の操作者に通知しておいた、前記画面を表示する領域を指定して前記画面を転送する前記送信端末装置と、
前記送信端末装置より前記画面を受け前記受信側出力装置の全表示領域内の前記指定された前記領域にこの画面を表示する前記受信端末装置と、
を備えたことを特徴とする画面転送表示システム。
【請求項２】
送信側出力装置を有しこの送信側出力装置に表示している画面を転送する送信端末装置と、受信側出力装置を予めそれぞれ有し前記送信端末装置が転送した前記画面をそれぞれ受けてそれぞれの前記受信側出力装置に表示する複数の受信端末装置とを備えた画面転送表示システムであって、
予めそれぞれの前記受信端末装置の操作者に通知しておいた、前記画面を表示する領域を指定して前記画面を転送する前記送信端末装置と、
前記送信端末装置より前記画面をそれぞれ受けそれぞれの前記受信側出力装置の全表示領域内の前記指定された前記領域にこの画面をそれぞれ表示する複数の前記受信端末装置と、
を備えたことを特徴とする画面転送表示システム。
【請求項３】
前記送信端末装置は、前記画面を表示する領域を表す予め定めた複数の選択肢より選択された前記領域を指定するようにしたことを特徴とする請求項１又は２記載の画面転送表示システム。
【請求項４】
送信側出力装置を有しこの送信側出力装置に表示している画面を転送する送信端末装置と、受信側出力装置を有し前記送信端末装置が転送した前記画面を受けて前記受信側出力装置に表示する受信端末装置とを備えた画面転送表示システムにおいて、
前記受信端末装置より前記画面の転送要求を受けて前記画面を前記受信端末装置に転送する前記送信端末装置と、
前記画面の前記転送要求を前記送信端末装置に送りこの送信端末装置が転送した前記画面を受けこの受けた前記画面を前記受信側出力装置の全表示領域内の予め指定した領域に表示する前記受信端末装置と、
を備えたことを特徴とする画面転送表示システム。
【請求項５】
前記受信端末装置は、前記画面を表示する領域を表す予め定めた複数の選択肢より選択された前記領域を予め指定するようにしたことを特徴とする請求項４記載の画面転送表示システム。
【請求項６】
前記画面を表示する前記領域は、前記画面を表示する位置とこの画面を表示する大きさとを含むようにしたものであることを特徴とする請求項１、２、３、４又は５記載の画面転送表示システム。
【請求項７】
前記画面を表示する前記領域は、前記画面を表示する位置とこの画面の大きさとを抽象的に表現したものであることを特徴とする請求項１、２、３、４、５又は６記載の画面転送表示システム。
【請求項８】
前記画面を表示する前記領域の前記抽象的表現は、「全画面」、「左半分」、「右半分」、「上半分」及び「下半分」を含むようにしたことを特徴とする請求項７記載の画面転送表示システム。
【請求項９】
送信側出力装置を有しこの送信側出力装置に表示している画面を転送する送信端末装置と、受信側出力装置を有し前記送信端末装置が転送した前記画面を受けて前記受信側出力装置に表示する受信端末装置とを備えた画面転送表示システムにおいて、
予め前記受信端末装置の操作者に通知しておいた、前記画面を表示する位置とこの画面を表示する大きさとを含む画面領域情報と画面転送開始要求との入力を受け、この画面領域情報と画面受信開始要求とを前記受信端末装置に送り、送った後に前記送信側出力装置に表示している前記画面のデータを予め定めた周期で前記送信側出力装置より取得し取得する毎にこの取得した前記画面データを前記受信端末装置に送信する前記送信端末装置と、
前記送信端末装置より前記画面領域情報と前記画面受信開始要求とを受けこの受けた前記画面領域情報から前記送信端末装置が送信する前記画面データに対応する前記画面を表示する位置とこの画面を表示する大きさを示す範囲とを算出して前記受信側出力装置の全表示領域内に前記画面を表示するための表示領域を作成し、前記送信端末装置が送信する前記画面データをこの送信端末装置が送信する毎に受信し受信する毎にこの受信した前記画面データを前記作成した前記表示領域に展開し展開する毎にこの展開した前記画面データを表示する前記受信端末装置と、
を備えたことを特徴とする画面転送表示システム。
【請求項１０】
送信側出力装置を有しこの送信側出力装置に表示している画面を転送する送信端末装置と、受信側出力装置を予めそれぞれ有し前記送信端末装置が転送した前記画面をそれぞれ受けてそれぞれの前記受信側出力装置に表示する複数の受信端末装置とを備えた画面転送表示システムであって、
予め前記受信端末装置の操作者に通知しておいた、前記画面を表示する位置とこの画面を表示する大きさとを含む画面領域情報と画面転送開始要求との入力を受け、この画面領域情報と画面受信開始要求とを前記受信端末装置に送り、送った後に前記送信側出力装置に表示している前記画面のデータを予め定めた周期で前記送信側出力装置より取得し取得する毎にこの取得した前記画面データを前記受信端末装置に送信する前記送信端末装置と、
前記送信端末装置より前記画面領域情報と前記画面受信開始要求とをそれぞれ受けこの受けた前記画面領域情報から前記送信端末装置が送信する前記画面データに対応する前記画面を表示する位置とこの画面を表示する大きさを示す範囲とをそれぞれ算出して前記受信側出力装置の全表示領域内に前記画面を表示するための表示領域をそれぞれ作成し、前記送信端末装置が送信する画面データをこの送信端末装置が送信する毎にそれぞれ受信し受信する毎にこの受信した前記画面データを前記作成した前記表示領域にそれぞれ展開し展開する毎にこの展開した前記画面データをそれぞれ表示する複数の前記受信端末装置と、
を備えたことを特徴とする画面転送表示システム。
【請求項１１】
前記送信端末装置は、予め定めた複数の画面領域情報より選択された前記画面領域情報の入力を受けるようにしたことを特徴とする請求項９又は１０記載の画面転送表示システム。
【請求項１２】
前記送信端末装置は、
前記画面を表示する前記送信側出力装置と、
前記受信側出力装置上での前記画面を表示する位置とこの画面を表示する大きさとを含む前記画面領域情報と前記画面転送開始要求との入力を受ける前記入力装置と、
前記入力装置から前記画面領域情報と前記画面転送開始要求とを受け、前記受信端末装置にこの画面領域情報と画面受信開始要求とを送り、画面送信開始要求を出力する要求制御部と、
前記要求制御部が出力した前記画面送信開始要求を受け前記送信側出力装置に表示している前記画面のデータを前記予め定めた周期で前記送信側出力装置より取得し取得する毎にこの取得した前記画面データを前記受信端末装置に送信する画面データ送信部と、を備え、
前記受信端末装置は、
前記要求制御部より前記画面領域情報と前記画面受信開始要求とを受けこの受けた前記画面領域情報から前記送信端末装置が送信する前記画面データに対応する前記画面を表示する前記受信側出力装置上の位置と前記画面を表示する大きさを示す範囲とを算出して前記表示領域を作成し、前記送信端末装置が送信する前記画面データをこの送信端末装置が送信する毎に受信し受信する毎にこの受信した前記画面データを前記作成した前記表示領域に展開し展開する毎にこの展開した前記表示領域を前記受信側出力装置に出力する画面データ受信部と、
前記画面データ受信部が出力する前記表示領域をこの画面データ受信部が出力する毎に受け受ける毎に前記表示領域に展開した前記画面データを表示する前記受信側出力装置と、
を備えたことを特徴とする請求項９、１０又１１記載の画面転送表示システム。
【請求項１３】
送信側出力装置を有しこの送信側出力装置に表示している画面を転送する送信端末装置と、受信側出力装置を有し前記送信端末装置が転送した前記画面を受けて前記受信側出力装置に表示する受信端末装置とを備えた画面転送表示システムにおいて、
前記画面を表示する位置とこの画面を表示する大きさとを含む画面領域情報と画面転送開始要求との入力を受けこの受けた前記画面領域情報から前記送信端末装置が転送する前記画面を表示する位置とこの画面を表示する大きさを示す範囲とを算出して前記受信側出力装置の全表示領域内に前記画面を表示するための表示領域を作成し、画面送信開始要求を前記送信端末装置に送り、前記送信端末装置が転送する前記画面に対応する画面データを前記送信端末装置の送信毎に受信し受信する毎にこの受信した前記画面データを前記作成した前記表示領域に展開し展開する毎にこの展開した前記画面データを表示する前記受信端末装置と、
前記受信端末装置より前記画面送信開始要求を受け、前記送信側出力装置に表示している前記画面に対応する前記画面データを予め定めた周期で前記送信側出力装置より取得し取得する毎にこの取得した前記画面データを前記受信端末装置に送信する前記送信端末装置と、
を備えたことを特徴とする画面転送表示システム。
【請求項１４】
前記受信端末装置は、予め定めた複数の画面領域情報より選択された前記画面領域情報の入力を受けるようにしたことを特徴とする請求項１３記載の画面転送表示システム。
【請求項１５】
前記受信端末装置は、
前記受信側出力装置上での、前記送信端末装置が送信する前記画面データに対応する前記画面を表示する位置とこの画面を表示する大きさとを含む前記画面領域情報と前記画面転送開始要求との入力を受ける前記入力装置と、
前記入力装置から前記画面領域情報と前記画面転送開始要求とを受け、この画面領域情報と画面受信開始要求とを出力し、前記送信端末装置に画面送信開始要求を送る要求制御部と、
前記要求制御部より前記画面領域情報と前記画面受信開始要求とを受けこの受けた前記画面領域情報から前記送信端末装置が送信する前記画面データに対応する前記画面を表示する前記受信側出力装置上の位置と前記画面を表示する大きさを示す範囲とを算出して前記表示領域を作成し、前記送信端末装置が送信する前記画面データをこの送信端末装置が送信する毎に受信し受信する毎にこの受信した前記画面データを前記作成した前記表示領域に展開し展開する毎にこの展開した前記表示領域を前記受信側出力装置に出力する画面データ受信部と、
前記画面データ受信部が出力する前記表示領域をこの画面データ受信部が出力する毎に受け受ける毎に前記表示領域に展開した前記画面データを表示する前記受信側出力装置と、を備え、
前記送信端末装置は、
前記画面を表示する前記送信側出力装置と、
前記要求制御部が出力した前記画面送信開始要求を受け前記送信側出力装置に表示している前記画面のデータを予め定めた周期で前記送信側出力装置より取得し取得する毎にこの取得した前記画面データを前記受信端末装置に送信する画面データ送信部と、
を備えたことを特徴とする請求項１３又は１４記載の画面転送表示システム。
【請求項１６】
前記画面領域情報は、前記画面を表示する位置とこの画面の大きさとを抽象的に表現したものであることを特徴とする請求項９〜１５のいずれか１項記載の画面転送表示システム。
【請求項１７】
前記画面領域情報の前記抽象的表現は、「全画面」、「左半分」、「右半分」、「上半分」及び「下半分」を含むようにしたことを特徴とする請求項１６記載の画面転送表示システム。
【発明の詳細な説明】
【０００１】
【発明の属する技術分野】
本発明は画面転送表示システムに関し、特に送信端末装置によりこの装置が表示している画面を転送し、受信端末装置により送信端末装置が転送した画面を受けて表示する画面転送表示システムに関する。
【０００２】
【従来の技術】
従来、この種の画面転送表示システムは、送信端末装置により、送信端末装置の表示装置である送信側出力装置に表示している画面を受信端末装置に転送し、受信端末装置により、送信端末装置が転送した画面を受けこの画面を受信端末装置の表示装置である受信側出力装置に表示するために用いられている。
【０００３】
この従来の画面転送表示システムは、図７に示すように、画面を転送する送信端末装置５と、この送信端末装置５が転送した画面を受けて表示する受信端末装置６と、送信端末装置５と受信端末装置６とを接続するＬＡＮ（ローカル・エリア・ネットワーク）とにより構成する。
【０００４】
送信端末装置５は、画面を表示する送信側出力装置５３と、操作者から画面転送開始要求の入力を受ける送信側入力装置５１と、送信側入力装置５１から画面転送開始要求を受け受信端末装置６に画面受信開始要求を送信し、送信した後に送信側出力装置５３に表示している画面を受信端末装置６に転送する送信側処理装置５２とを備えている。
【０００５】
受信端末装置６は、操作者からの入力を受ける受信側入力装置６１と、送信端末装置５より画面受信開始要求を受け、この画面受信開始要求を受けた後に送信端末装置５より転送される画面を受けこの画面を受信側出力装置６３の全表示領域に展開する受信側処理装置６２と、受信側処理装置６２が全表示領域に展開した画面をこの全表示領域に対応する受信側出力装置６３の表示画面全体に表示する受信側出力装置６３とを備えている。
【０００６】
この受信端末装置６の操作者は、送信端末装置５より受けた画面を見ながら自分に必要な内容を受信側出力装置６３の表示画面に表示して作業を行いたいときは、送信端末装置５より受けた画面を、受信側入力装置６１を操作して受信側出力装置６３の表示画面全体中の任意の位置と範囲を示す領域に表示し、この表示した領域以外の領域に自分に必要な内容を表示して作業を行う。
【０００７】
【発明が解決しようとする課題】
上述した従来の画面転送表示システムは、受信側処理装置により、送信側出力装置より転送される画面を受けこの画面を受信側出力装置の全表示領域に展開し、受信側出力装置により、受信側処理装置が全表示領域に展開した画面をこの全表示領域に対応する受信側出力装置の表示画面全体に表示する。
【０００８】
このため、上述した従来の画面転送表示システムは、送信端末装置が転送した画面を受信端末装置の受信側出力装置の表示画面全体（全表示領域）に表示させるので、受信端末装置の操作者は、送信端末装置より受けた画面を見ながら自分に必要な内容を受信側出力装置の表示画面に表示して作業を行いたいときは、自分に必要な内容を表示するための表示画面の領域を確保するために、送信端末装置より受けた画面を、受信側出力装置の表示画面全体中の任意の位置と範囲を示す領域に表示する操作を受信側入力装置を使用して行う必要があるという問題がある。
【０００９】
本発明の目的はこのような従来の欠点を除去するため、受信端末装置の操作者が、送信端末装置より受けた画面を見ながら自分に必要な内容を受信側出力装置の表示画面に表示して作業することを希望するときにも、送信端末装置より受けた画面の表示領域を操作する必要のない画面転送表示システムを提供することにある。
【００１０】
【課題を解決するための手段】
本発明の第１の画面転送表示システムは、送信側出力装置を有しこの送信側出力装置に表示している画面を転送する送信端末装置と、受信側出力装置を有し前記送信端末装置が転送した前記画面を受けて前記受信側出力装置に表示する受信端末装置とを備えた画面転送表示システムにおいて、
予め前記受信端末装置の操作者に通知しておいた、前記画面を表示する領域を指定して前記画面を転送する前記送信端末装置と、
前記送信端末装置より前記画面を受け前記受信側出力装置の全表示領域内の前記指定された前記領域にこの画面を表示する前記受信端末装置と、
を備えて構成されている。
【００１１】
本発明の第２の画面転送表示システムは、送信側出力装置を有しこの送信側出力装置に表示している画面を転送する送信端末装置と、受信側出力装置を予めそれぞれ有し前記送信端末装置が転送した前記画面をそれぞれ受けてそれぞれの前記受信側出力装置に表示する複数の受信端末装置とを備えた画面転送表示システムであって、
予めそれぞれの前記受信端末装置の操作者に通知しておいた、前記画面を表示する領域を指定して前記画面を転送する前記送信端末装置と、
前記送信端末装置より前記画面をそれぞれ受けそれぞれの前記受信側出力装置の全表示領域内の前記指定された前記領域にこの画面をそれぞれ表示する複数の前記受信端末装置と、
を備えて構成されている。
【００１２】
本発明の第３の画面転送表示システムは、送信側出力装置を有しこの送信側出力装置に表示している画面を転送する送信端末装置と、受信側出力装置を有し前記送信端末装置が転送した前記画面を受けて前記受信側出力装置に表示する受信端末装置とを備えた画面転送表示システムにおいて、
前記受信端末装置より前記画面の転送要求を受けて前記画面を前記受信端末装置に転送する前記送信端末装置と、
前記画面の前記転送要求を前記送信端末装置に送りこの送信端末装置が転送した前記画面を受けこの受けた前記画面を前記受信側出力装置の全表示領域内の予め指定した領域に表示する前記受信端末装置と、
を備えて構成されている。
【００１３】
また、本発明の第１から第３の画面転送表示システムにおいて、前記画面を表示する前記領域は、前記画面を表示する位置とこの画面の大きさとを抽象的に表現したものである。
【００１４】
本発明の第４の画面転送表示システムは、送信側出力装置を有しこの送信側出力装置に表示している画面を転送する送信端末装置と、受信側出力装置を有し前記送信端末装置が転送した前記画面を受けて前記受信側出力装置に表示する受信端末装置とを備えた画面転送表示システムにおいて、
予め前記受信端末装置の操作者に通知しておいた、前記画面を表示する位置とこの画面を表示する大きさとを含む画面領域情報と画面転送開始要求との入力を受け、この画面領域情報と画面受信開始要求とを前記受信端末装置に送り、送った後に前記送信側出力装置に表示している前記画面のデータを予め定めた周期で前記送信側出力装置より取得し取得する毎にこの取得した前記画面データを前記受信端末装置に送信する前記送信端末装置と、
前記送信端末装置より前記画面領域情報と前記画面受信開始要求とを受けこの受けた前記画面領域情報から前記送信端末装置が送信する前記画面データに対応する前記画面を表示する位置とこの画面を表示する大きさを示す範囲とを算出して前記受信側出力装置の全表示領域内に前記画面を表示するための表示領域を作成し、前記送信端末装置が送信する前記画面データをこの送信端末装置が送信する毎に受信し受信する毎にこの受信した前記画面データを前記作成した前記表示領域に展開し展開する毎にこの展開した前記画面データを表示する前記受信端末装置と、
を備えて構成されている。
【００１５】
本発明の第５の画面転送表示システムは、送信側出力装置を有しこの送信側出力装置に表示している画面を転送する送信端末装置と、受信側出力装置を予めそれぞれ有し前記送信端末装置が転送した前記画面をそれぞれ受けてそれぞれの前記受信側出力装置に表示する複数の受信端末装置とを備えた画面転送表示システムであって、
予め前記受信端末装置の操作者に通知しておいた、前記画面を表示する位置とこの画面を表示する大きさとを含む画面領域情報と画面転送開始要求との入力を受け、この画面領域情報と画面受信開始要求とを前記受信端末装置に送り、送った後に前記送信側出力装置に表示している前記画面のデータを予め定めた周期で前記送信側出力装置より取得し取得する毎にこの取得した前記画面データを前記受信端末装置に送信する前記送信端末装置と、
前記送信端末装置より前記画面領域情報と前記画面受信開始要求とをそれぞれ受けこの受けた前記画面領域情報から前記送信端末装置が送信する前記画面データに対応する前記画面を表示する位置とこの画面を表示する大きさを示す範囲とをそれぞれ算出して前記受信側出力装置の全表示領域内に前記画面を表示するための表示領域をそれぞれ作成し、前記送信端末装置が送信する画面データをこの送信端末装置が送信する毎にそれぞれ受信し受信する毎にこの受信した前記画面データを前記作成した前記表示領域にそれぞれ展開し展開する毎にこの展開した前記画面データをそれぞれ表示する複数の前記受信端末装置と、
を備えて構成されている。
【００１６】
また、本発明の第４と第５の画面転送表示システムにおいて、前記送信端末装置は、
前記画面を表示する前記送信側出力装置と、
前記受信側出力装置上での前記画面を表示する位置とこの画面を表示する大きさとを含む前記画面領域情報と前記画面転送開始要求との入力を受ける前記入力装置と、
前記入力装置から前記画面領域情報と前記画面転送開始要求とを受け、前記受信端末装置にこの画面領域情報と画面受信開始要求とを送り、画面送信開始要求を出力する要求制御部と、
前記要求制御部が出力した前記画面送信開始要求を受け前記送信側出力装置に表示している前記画面のデータを前記予め定めた周期で前記送信側出力装置より取得し取得する毎にこの取得した前記画面データを前記受信端末装置に送信する画面データ送信部と、を備え、
前記受信端末装置は、
前記要求制御部より前記画面領域情報と前記画面受信開始要求とを受けこの受けた前記画面領域情報から前記送信端末装置が送信する前記画面データに対応する前記画面を表示する前記受信側出力装置上の位置と前記画面を表示する大きさを示す範囲とを算出して前記表示領域を作成し、前記送信端末装置が送信する前記画面データをこの送信端末装置が送信する毎に受信し受信する毎にこの受信した前記画面データを前記作成した前記表示領域に展開し展開する毎にこの展開した前記表示領域を前記受信側出力装置に出力する画面データ受信部と、
前記画面データ受信部が出力する前記表示領域をこの画面データ受信部が出力する毎に受け受ける毎に前記表示領域に展開した前記画面データを表示する前記受信側出力装置と、
を備えて構成されている。
【００１７】
本発明の第６の画面転送表示システムは、送信側出力装置を有しこの送信側出力装置に表示している画面を転送する送信端末装置と、受信側出力装置を有し前記送信端末装置が転送した前記画面を受けて前記受信側出力装置に表示する受信端末装置とを備えた画面転送表示システムにおいて、
前記画面を表示する位置とこの画面を表示する大きさとを含む画面領域情報と画面転送開始要求との入力を受けこの受けた前記画面領域情報から前記送信端末装置が転送する前記画面を表示する位置とこの画面を表示する大きさを示す範囲とを算出して前記受信側出力装置の全表示領域内に前記画面を表示するための表示領域を作成し、画面送信開始要求を前記送信端末装置に送り、前記送信端末装置が転送する前記画面に対応する画面データを前記送信端末装置の送信毎に受信し受信する毎にこの受信した前記画面データを前記作成した前記表示領域に展開し展開する毎にこの展開した前記画面データを表示する前記受信端末装置と、
前記受信端末装置より前記画面送信開始要求を受け、前記送信側出力装置に表示している前記画面に対応する前記画面データを予め定めた周期で前記送信側出力装置より取得し取得する毎にこの取得した前記画面データを前記受信端末装置に送信する前記送信端末装置と、
を備えて構成されている。
【００１８】
また、本発明の第６の画面転送表示システムにおいて、前記受信端末装置は、前記受信側出力装置上での、前記送信端末装置が送信する前記画面データに対応する前記画面を表示する位置とこの画面を表示する大きさとを含む前記画面領域情報と前記画面転送開始要求との入力を受ける前記入力装置と、
前記入力装置から前記画面領域情報と前記画面転送開始要求とを受け、この画面領域情報と画面受信開始要求とを出力し、前記送信端末装置に画面送信開始要求を送る要求制御部と、
前記要求制御部より前記画面領域情報と前記画面受信開始要求とを受けこの受けた前記画面領域情報から前記送信端末装置が送信する前記画面データに対応する前記画面を表示する前記受信側出力装置上の位置と前記画面を表示する大きさを示す範囲とを算出して前記表示領域を作成し、前記送信端末装置が送信する前記画面データをこの送信端末装置が送信する毎に受信し受信する毎にこの受信した前記画面データを前記作成した前記表示領域に展開し展開する毎にこの展開した前記表示領域を前記受信側出力装置に出力する画面データ受信部と、
前記画面データ受信部が出力する前記表示領域をこの画面データ受信部が出力する毎に受け受ける毎に前記表示領域に展開した前記画面データを表示する前記受信側出力装置と、を備え、
前記送信端末装置は、
前記画面を表示する前記送信側出力装置と、
前記要求制御部が出力した前記画面送信開始要求を受け前記送信側出力装置に表示している前記画面のデータを予め定めた周期で前記送信側出力装置より取得し取得する毎にこの取得した前記画面データを前記受信端末装置に送信する画面データ送信部と、
を備えて構成されている。
【００１９】
更に、本発明の第４から第６の画面転送表示システムにおいて、前記画面領域情報は、前記画面を表示する位置とこの画面の大きさとを抽象的に表現したものである。
【００２０】
【発明の実施の形態】
次に、本発明の実施の形態について図面を参照して説明する。
【００２１】
図１は、本発明の画面転送表示システムの第１の実施の形態を示すブロック図である。
【００２２】
図１に示す本実施の形態は、ディスプレイ等の送信側出力装置１４を有しこの送信側出力装置１４に表示している画面を転送する送信端末装置１と、ディスプレイ等の受信側出力装置２２を有し送信端末装置１が転送した画面を受けて受信側出力装置２２に表示する受信端末装置２と、送信端末装置１と受信端末装置２とを接続するＬＡＮとにより構成する。
【００２３】
送信端末装置１は、転送する画面を表示する受信側出力装置２２上での位置とこの画面を表示する大きさとを含む画面領域情報と画面転送開始要求との入力を受け、この画面領域情報と画面受信開始要求とを受信端末装置２に送り、送った後に送信側出力装置１４に表示している画面のデータを予め定めた周期（例えば、５００ｍｓｅｃ〜１ｓｅｃ程度の周期。この周期はこの値にこだわる必要はなくシステムにより適宜決定する。）で送信側出力装置１４より取得し取得する毎にこの取得した画面データを受信端末装置２に送信する。
【００２４】
受信端末装置２は、送信端末装置１より画面領域情報と画面受信開始要求とを受け、この受けた画面領域情報から、送信端末装置１が送信する画面データに対応する画面を受信側出力装置２２上に表示する位置とこの画面を表示する大きさを示す範囲とを算出して受信側出力装置２２の全表示領域内に画面を表示するための表示領域を作成し、送信端末装置１が送信する画面データをこの送信端末装置１が送信する毎に受信し受信する毎にこの受信した画面データをこの作成した表示領域に展開し展開する毎にこの展開した画面データを表示する。
【００２５】
送信端末装置１は、画面を表示する送信側出力装置１４と、画面領域情報と画面転送開始要求との入力を受けるキーボード等の入力装置１１と、入力装置１１から画面領域情報と画面転送開始要求とを受け、受信端末装置２にこの画面領域情報と画面受信開始要求とを送り、画面送信開始要求を出力する要求制御部１２と、要求制御部１２が出力した画面送信開始要求を受け送信側出力装置１４に表示している画面のデータを予め定めた周期で送信側出力装置１４より取得し取得する毎にこの取得した画面データを受信端末装置２に送信する画面データ送信部１３とにより構成する。
【００２６】
受信端末装置２は、要求制御部１２より画面領域情報と画面受信開始要求とを受け、この受けた画面領域情報から送信端末装置１が送信する画面データに対応する画面を表示する受信側出力装置２２上の位置と画面を表示する大きさを示す範囲とを算出して表示領域を作成し、送信端末装置１が送信する画面データをこの送信端末装置１が送信する毎に受信し受信する毎にこの受信した画面データをこの作成した表示領域に展開し展開する毎にこの展開した表示領域を受信側出力装置２２に出力する画面データ受信部２１と、画面データ受信部２１が出力する表示領域をこの画面データ受信部２１が出力する毎に受け受ける毎にこの表示領域に展開した画面データを表示する受信側出力装置２２とにより構成する。
【００２７】
次に、本実施の形態の画面転送表示システムの動作を図２から図４を参照して詳細に説明する。
【００２８】
図２は、本発明の第１の実施の形態の動作の一例を示すフローチャートである。
【００２９】
図３は、転送画面の第１の表示例である。
【００３０】
図４は、転送画面の第２の表示例である。
【００３１】
図１において、図２のステップ２０では、送信端末装置１の操作者は、送信端末装置１から転送する画面を受信端末装置２の受信側出力装置２２上のどの領域に表示するのかを受信端末装置２の操作者に予め知らせておく。
【００３２】
そして、操作者の指示により、送信端末装置１の入力装置１１に画面転送開始要求と画面転送時に必要な条件とが入力されると、この入力装置１１はこの画面転送開始要求と画面転送時に必要な条件とを要求制御部１２に出力する。
【００３３】
この画面転送時に必要な条件とは、例えば受信端末装置２のＩＰアドレスや通信プロトコル等の受信端末装置情報及び送信端末装置１より転送する画面を受信側出力装置２２上に表示する位置とこの画面を表示する大きさとを含む画面領域情報である。
【００３４】
この画面領域情報は画面を表示する位置とこの画面を表示する大きさとを抽象的に表現したものであり、予め、「全画面」、「左半分」、「右半分」、「上半分」、「下半分」等の抽象的表現の複数の選択肢を用意しておき、この中から選択してもらう。
【００３５】
この選択してもらう画面領域情報は、予め受信端末装置２の操作者に知らせておいた領域に対応する情報である。
【００３６】
選択方法は、予め入力装置１１の複数のキーにこれらの選択肢をそれぞれ割り付けておき、操作者により一つのキーを押下してもらったり、送信側出力装置１４の表示画面にこれらの選択肢を表示しマウスにより選択してもらったりすることにより画面領域情報を選択してもらう。
【００３７】
図２のステップ２１では、要求制御部１２は、入力装置１１より画面転送開始要求と画面領域情報及び受信端末装置情報を受け、受信端末装置２の画面データ受信部２１にＬＡＮを介して画面領域情報と画面受信開始要求を送るとともに、画面データ送信部１３へ受信端末装置情報と画面送信開始要求とを送る。
【００３８】
図２のステップ２２では、画面データ受信部２１は、画面領域情報と画面受信開始要求とを受け、この受けた画面領域情報がステップ２０の複数の選択肢（「全画面」、「左半分」、「右半分」、「上半分」、「下半分」等）のうちのどの画面領域情報なのかを判断しこの判断した画面領域情報から送信端末装置１が送信する画面データに対応する画面を表示する受信側出力装置２２上の位置と画面を表示する大きさを示す範囲を算出し、受信側出力装置２２に表示するための表示領域を作成する。
【００３９】
例えば、画面領域情報が「左半分」のときには、受信側出力装置２２の解像度から、図３に示すように「左半分」に相当する領域の例えば左上の座標（この場合は、（０、０））と範囲（この場合は、（Δｘ、Δｙ））を算出し、受信側出力装置２２が出力している全画面に対応する全表示領域の表示用データに対して、先に算出した座標と範囲とで示す領域の表示用データを重ね合わせるときのこの重ね合わせる表示用データを展開するための領域を示す表示領域を作成する（決める）。
【００４０】
一方、図２のステップ２３では、画面データ送信部１３は、受信端末装置情報と画面送信開始要求とを受け、送信側出力装置１４に表示されている画面の画面データを取得しこの取得した画面データを受信端末装置情報内のＩＰアドレスの示す受信端末装置２へ受信端末装置情報内の通信プロトコルによりＬＡＮを介して送信する。
【００４１】
図２のステップ２４では、受信端末装置２の画面データ受信部２１は、送信端末装置１が送信する画面データを受信しこの受信した画面データをステップ２２で作成した表示領域に展開しこの展開した表示領域を出力する。
【００４２】
図２のステップ２５では、受信側出力装置２２により、画面データ受信部２１が出力した表示領域を受けこの表示領域に展開された画面データを、受信側出力装置２２が出力している全画面に対応する全表示領域の表示用データに対して重ね合わせこの重ね合わせた全表示領域の表示用データを表示する。
【００４３】
この図２のステップ２３中の画面データ送信部１３の動作は、受信端末装置情報と画面送信開始要求とを受けた後は予め定めた周期で行われ、それ以降はその都度、図２のステップ２５までに示す一連の動作が行われる。これにより、例えば、図３に示すように、受信側出力装置２２の「左半分」の領域に送信端末装置１より転送された画面が表示され、「右半分」の領域が操作者の作業領域等として使用できる。
【００４４】
そして、図２のステップ２６では、図２のステップ２３中の画面データ送信部１３が受信端末装置情報と画面送信開始要求とを受けた後から図２のステップ２５までの動作が行われているときに、操作者の指示により、送信端末装置１の入力装置１１に画面転送終了要求が入力されると、この入力装置１１はこの画面転送終了要求を要求制御部１２に出力する。
【００４５】
図２のステップ２７では、要求制御部１２は、入力装置１１より画面転送終了要求を受け、受信端末装置２の画面データ受信部２１にＬＡＮを介して画面受信終了要求を送るとともに、画面データ送信部１３に画面送信終了要求を送る。
【００４６】
図２のステップ２８では、画面データ受信部２１は、画面受信終了要求を受け送信端末装置１が送信する画面データの受信を停止し、ステップ２２で作成した受信側出力装置２２に表示するための表示領域を破壊し、この表示領域の出力を停止して、送信端末装置１が転送する画面の表示を終了する。
【００４７】
一方、図２のステップ２９では、画面データ送信部１３は、ステップ２７で要求制御部１２が送った画面送信終了要求を受けると、予め定めた周期で繰り返し行っていた画面データの取得と、その都度行っていた画面データの送信とを終了する。
【００４８】
以上の説明では、１式の送信端末装置１に対し、１式の受信端末装置２の場合について記載したが、ＬＡＮを介して通信するときのネットワーク通信方式にマルチキャスト方式を採用することにより、１式の送信端末装置１に対し、複数の受信端末装置２を接続しても良い。
【００４９】
また、出力装置についても、それぞれの端末装置に１台しか存在していないが、高解像度の画面領域を複数の出力装置に渡って表示させる構成を組む場合には、２台目以降の出力装置を、転送画面を表示する領域として指定する事も可能である。受信端末装置２を２台の出力装置構成にし、２台目の「全表示領域」を転送画面を表示する領域として指定した場合は、例えば図４に示すように、受信側出力装置２２上の位置は座標（１０２４、０）、画面を表示する大きさを示す範囲は（Δｘ＝１０２４、Δｙ＝７６８）となる。
【００５０】
以上説明したように、送信端末装置１の画面を転送する操作を行う送信端末装置１の操作者が、この画面の転送先（受信端末装置２）での表示位置や範囲（表示領域）を指定でき、この結果、受信端末装置２は、受信端末装置２上で作業用の画面スペースを確保しつつ、送信端末装置１の画面の転送を受けて表示でき、受信端末装置２の操作者の作業効率が向上する。例えば、送信端末装置１の操作者である講師が、お手本として転送する画面の表示領域を複数の受信端末装置２のそれぞれの操作者である学習者全員に予め知らせておけば、学習者は転送画面の表示領域以外のスペースで自分の作業をしておくことにより、転送画面に画面スペースを奪われる事なく自分の作業を続けることができる。また、講師が個別の学習者へ画面を転送させる場合は、予めその学習者の空いている画面スペースを把握しておけば、その場所へ画面を転送させることもできる。
【００５１】
また、受信端末装置２側で、転送された画面の表示領域を算出するため、「右半分」、「左半分」といった抽象的表現により画面を表示する領域を指定でき、この結果、送信端末装置１と受信端末装置２の解像度が異なる場合でも、送信端末装置１の操作者は解像度の違いを意識せず、指定した領域に転送画面を表示させることができる。
【００５２】
図５は、本発明の画面転送表示システムの第２の実施の形態を示すブロック図である。
【００５３】
第１の実施の形態は、画面転送の操作を行う操作者が、自端末装置の画面を他の端末装置へ転送させる場合の形態であったが、この第２の実施の形態は、画面転送の操作を行う操作者が、他の端末装置の画面を自端末装置へ転送させる場合の形態である。
【００５４】
図５に示す本実施の形態は、ディスプレイ等の送信側出力装置４２を有しこの送信側出力装置４２に表示している画面を転送する送信端末装置４と、ディスプレイ等の受信側出力装置３４を有し送信端末装置４が転送した画面を受けて受信側出力装置３４に表示する受信端末装置３と、送信端末装置４と受信端末装置３とを接続するＬＡＮとにより構成する。
【００５５】
受信端末装置３は、送信端末装置４が転送する画面を表示する位置とこの画面を表示する大きさとを含む画面領域情報と画面転送開始要求との入力を受けこの受けた画面領域情報から送信端末装置４が転送する画面を表示する位置とこの画面を表示する大きさを示す範囲とを算出して受信側出力装置３４の全表示領域内に画面を表示するための表示領域を作成し、画面送信開始要求を送信端末装置４に送り、送信端末装置４が転送する画面に対応する画面データをこの送信端末装置４が送信する毎に受信し受信する毎にこの受信した画面データをこの作成した表示領域に展開し展開する毎にこの展開した画面データを表示する。
【００５６】
送信端末装置４は、受信端末装置３より画面送信開始要求を受け、送信側出力装置４２に表示している画面に対応する画面データを予め定めた周期（第１の実施の形態で記載した周期と同じである。）で送信側出力装置４２より取得し取得する毎にこの取得した画面データを受信端末装置３に送信する。
【００５７】
受信端末装置３は、受信側出力装置３４上での、送信端末装置４が送信する画面データに対応する画面を表示する位置とこの画面を表示する大きさとを含む画面領域情報と画面転送開始要求との入力を受ける入力装置３１と、入力装置３１から画面領域情報と画面転送開始要求とを受け、この画面領域情報と画面受信開始要求とを出力し、送信端末装置４に画面送信開始要求を送る要求制御部３２と、要求制御部３２より画面領域情報と画面受信開始要求とを受けこの受けた画面領域情報から送信端末装置４が送信する画面データに対応する画面を表示する受信側出力装置３４上の位置と画面を表示する大きさを示す範囲とを算出して表示領域を作成し、送信端末装置４が送信する画面データをこの送信端末装置４が送信する毎に受信し受信する毎にこの受信した画面データを作成した表示領域に展開し展開する毎にこの展開した表示領域を受信側出力装置３４に出力する画面データ受信部３３と、画面データ受信部３３が出力する表示領域をこの画面データ受信部３３が出力する毎に受け受ける毎にこの表示領域に展開した画面データを表示する受信側出力装置３４とにより構成する。
【００５８】
送信端末装置４は、画面を表示する送信側出力装置４２と、要求制御部３２が出力した画面送信開始要求を受け送信側出力装置４２に表示している画面のデータを予め定めた周期で送信側出力装置４２より取得し取得する毎にこの取得した画面データを受信端末装置３に送信する画面データ送信部４１とにより構成する。
【００５９】
次に、本実施の形態の画面転送表示システムの動作を図６を参照して詳細に説明する。
【００６０】
図６は、本発明の第２の実施の形態の動作の一例を示すフローチャートである。
【００６１】
図５において、図６のステップ６０では、操作者の指示により、受信端末装置３の入力装置３１に画面転送開始要求と画面転送時に必要な条件とが入力されると、この入力装置３１はこの画面転送開始要求と画面転送時に必要な条件とを要求制御部３２に出力する。
【００６２】
この画面転送時に必要な条件とは、例えば送信端末装置４のＩＰアドレスや通信プロトコル等の送信端末装置情報及び送信端末装置４より転送する画面を受信側出力装置３４上に表示する位置とこの画面を表示する大きさとを含む画面領域情報である。
【００６３】
この画面領域情報とこの画面領域情報の選択方法は第１の実施の形態で説明したものと同じである。
【００６４】
図６のステップ６１では、要求制御部３２は、入力装置３１より画面転送開始要求と画面領域情報及び送信端末装置情報を受け、受信端末装置３の画面データ受信部３３に画面領域情報と画面受信開始要求を送るとともに、画面データ送信部４１へＬＡＮを介して受信端末装置情報と画面送信開始要求とを送る。
【００６５】
そして、図６のステップ６２から図６のステップ６５では、画面データ受信部３３、画面データ送信部４１及び受信側出力装置３４は、第１の実施の形態で示した図２のステップ２２から図２のステップ２５で示す画面データ受信部３３、画面データ送信部４１及び受信側出力装置３４と同じ動作をし、例えば、図３に示すように、受信側出力装置３４の「左半分」の領域に送信端末装置４より転送された画面が表示され、「右半分」の領域が受信端末装置３の操作者の作業領域等として使用できる。
【００６６】
次に、図６のステップ６６では、図６のステップ６３中の画面データ送信部４１が受信端末装置情報と画面送信開始要求とを受けた後から図６のステップ６５までの動作が行われているときに、操作者の指示により、受信端末装置３の入力装置３１に画面転送終了要求が入力されると、この入力装置３１はこの画面転送終了要求を要求制御部３２に出力する。
【００６７】
図６のステップ６７では、要求制御部３２は、入力装置３１より画面転送終了要求を受け、受信端末装置３の画面データ受信部３３に画面受信終了要求を送るとともに、画面データ送信部４１にＬＡＮを介して画面送信終了要求を送る。
【００６８】
そして、図６のステップ６８と図６のステップ６９では、画面データ受信部３３と画面データ送信部４１とは、第１の実施の形態で示した図２のステップ２８と図２のステップ２９で示す画面データ受信部３３と画面データ送信部４１と同じ動作をし、画面データ受信部３３は送信端末装置４が転送する画面の表示を終了し、画面データ送信部４１は、画面データの取得と送信とを終了する。
【００６９】
以上の説明では、出力装置が、それぞれの端末装置に１台しか存在していない場合について記載したが、高解像度の画面領域を複数の出力装置に渡って表示させる構成を組む場合には、２台目以降の出力装置を、転送画面を表示する領域として指定する事も可能である。受信端末装置３を２台の出力装置構成にし、２台目の「全表示領域」を転送画面を表示する領域として指定した場合は、例えば図４に示すように、受信側出力装置３４上の位置は座標（１０２４、０）、画面を表示する大きさを示す範囲は（Δｘ＝１０２４、Δｙ＝７６８）となる。
【００７０】
以上説明したように、送信端末装置４の画面を転送する操作を行う受信端末装置３の操作者が、この画面の転送先（受信端末装置３）での表示位置や範囲（表示領域）を指定でき、この結果、受信端末装置３は、受信端末装置３上で作業用の画面スペースを確保しつつ、送信端末装置４の画面の転送を受けて表示でき、受信端末装置３の操作者の作業効率が向上する。例えば、受信端末装置３の操作者である講師が、自分が作業している画面スペース以外の画面スペースに送信端末装置４の操作者である学習者の画面を転送して表示することにより、自分の作業を続けながら学習者の進捗状況等を把握することができる。
【００７１】
また、受信端末装置３側で、転送された画面の表示領域を算出するため、「右半分」、「左半分」といった抽象的表現により画面を表示する領域を指定でき、この結果、送信端末装置４と受信端末装置３の解像度が異なる場合でも、送信端末装置４の操作者は解像度の違いを意識せず、指定した領域に転送画面を表示させることができる。
【００７２】
【発明の効果】
以上説明したように、本発明の画面転送表示システムによれば、送信端末装置により、画面を表示する領域を指定して画面を転送し、受信端末装置により、送信端末装置より画面を受け受信側出力装置の全表示領域内の送信端末装置に指定された領域にこの画面を表示するため、送信端末装置の操作者が受信端末装置の操作者に転送する画面を表示する領域を予め知らせておけば、受信端末装置の操作者は、この知らされた領域以外の領域を予め使用して自分に必要な内容を表示して作業しておくことにより、送信端末装置が転送してきた画面の表示に画面スペースを奪われることなく自分の作業を続けることができるので、受信端末装置の操作者が、送信端末装置より受けた画面を見ながら自分に必要な内容を受信側出力装置の表示画面に表示して作業することを希望するときにも、送信端末装置より受けた画面の表示領域を操作する必要がない。
【００７３】
また、本発明の画面転送表示システムによれば、受信端末装置により、画面を表示する領域を指定し、送信端末装置より画面を受け受信側出力装置の全表示領域内のこの指定した領域にこの画面を表示させる場合は、受信端末装置の操作者が、自分に必要な内容を表示している領域以外を指定する事により、上記同様、送信端末装置が転送してきた画面の表示に画面スペースを奪われることなく自分の作業を続けることができるので、送信端末装置より受けた画面の表示領域を操作する必要がない。
【００７４】
更に、画面を表示する領域は、「左半分」、「右半分」等の抽象的に表現した領域を選択するようにし、受信端末装置により、この抽象的に表現した領域から実際に表示する表示領域を作成するので、送信端末装置と受信端末装置との解像度が異なるときにも、操作者はこの相異を意識せずに指定した領域に転送した画面を表示させることができる。
【図面の簡単な説明】
【図１】本発明の画面転送表示システムの第１の実施の形態を示すブロック図である。
【図２】本発明の第１の実施の形態の動作の一例を示すフローチャートである。
【図３】転送画面の第１の表示例である。
【図４】転送画面の第２の表示例である。
【図５】本発明の画面転送表示システムの第２の実施の形態を示すブロック図である。
【図６】本発明の第２の実施の形態の動作の一例を示すフローチャートである。
【図７】従来の画面転送表示システムを示すブロック図である。
【符号の説明】
１　　送信端末装置
１１　　入力装置
１２　　要求制御部
１３　　画面データ送信部
１４　　送信側出力装置
２　　受信端末装置
２１　　画面データ受信部
２２　　受信側出力装置
３　　受信端末装置
３１　　入力装置
３２　　要求制御部
３３　　画面データ受信部
３４　　受信側出力装置
４　　送信端末装置
４１　　画面データ送信部
４２　　送信側出力装置
５　　送信端末装置
５１　　送信側入力装置
５２　　送信側処理装置
５３　　送信側出力装置
６　　受信端末装置
６１　　受信側入力装置
６２　　受信側処理装置
６３　　受信側出力装置
【図１】
2004064140.tif 000003
【図２】
2004064140.tif 000004
【図３】
2004064140.tif 000005
【図４】
2004064140.tif 000006
【図５】
2004064140.tif 000007
【図６】
2004064140.tif 000008
【図７】
2004064140.tif 000009